(57)【要約】【課題】  本発明は、簡単に、手軽に、低コストで、鼻孔の中に入れる消臭及び吸入空気浄化のための鼻孔挿入具を提供する。【解決手段】  紡錘状の本体の先端に孔をあけ、炭素繊維フィルターその他のフィルター等を中に入れ、ネジ式の孔のあいた蓋を入口にネジ込む。又、蓋は、本体と一部を連結してあっても良い。左右の鼻孔であるのでそれが対となり連結部で両者を連結する。フィルターは体内に入る空気の浄化と消臭を行い、場合によっては香料や抗菌薬等を浸しておくと良い。全体は一体成型で、柔かく、滑らかである。又、低コストであるので、広く、人々に用いられる可能性が大である。【選択図】  図１
2005312606.tif 000002
【特許請求の範囲】
【請求項１】
先端部が丸い紡錘状の本体に後端部に蓋を設け、該先端部と該蓋には通気孔を設け、該後端部の１箇所より、突出した取り出し部を設け、該本体の中の室には炭素繊維等内包物を入れた消臭及び吸入空気浄化のための鼻孔挿入具。
【請求項２】
２つの本体を結ぶ連結部が設けられた、請求項１に記載の消臭及び吸入空気浄化のための鼻孔挿入具。
【発明の詳細な説明】
【技術分野】
【０００１】
本発明は、消臭及び吸入空気浄化のための鼻孔挿入具に関する。
【背景技術】
【０００２】
出願人は、実用新案登録第３０７４１５９号で、先に提案しているが、本出願はそれの改良である。一般に公衆便所や、映画館、劇場、人々の雑踏している場所、花粉飛散時等、消臭と吸入空気清浄が出来れば、苦痛度に個人差はあるが、快適な生活が送れる。又、煙草の煙やハウスダストをと呼ばれる小さな塵を飛散する家庭や事務所も多い。
又、排気ガスも常に人々に悪臭や汚れた空気を浴びさせている。これに対処するためには、マスク位しかないのが現状である。
【特許文献１】実用新案登録第３０７４１５９号
【非特許文献１】特記すべきものなし。
【発明の開示】
【発明が解決しようとする課題】
【０００３】
本発明は、簡便に用いることが出来る、消臭と吸入空気清浄を目的とした鼻孔へ挿入して用いる、消臭及び吸入空気清浄鼻孔挿入具を提供する。
【課題を解決するための手段】
【０００４】
本発明は、先端部が丸い紡錘状の本体に後端部に蓋を設け、該先端部と該蓋には通気孔を設け、該後端部の１箇所より突出した取り出し部を設け、該本体の中の室には炭素繊維等内包物を入れた消臭及び吸入空気浄化のための鼻孔挿入具、及び、２つの本体を結ぶ連結部が設けられた、消臭及び吸入空気浄化のための鼻孔挿入具に関する。
【発明の効果】
【０００５】
本出願は、一般的な悪臭にも、又、やや長時間でも使え、花粉症の人の苦痛も解消でき、又、吸入空気を浄化するので、健康にも極めて良いものである。又、好みの香料を含浸させておくことにより、精神衛生上についてもよい効果をもたらすものである。又、全体が非常に軟らかく鼻孔に具合良くフィットし、異物感は極めて少なく、長時間の使用でも苦にならない。又、連絡部も、極めて細いので、目立たず、人の目にとまらない。又、同様の１回の使い捨てで用いても良いし、反復して使用するようにしても良い。
【発明を実施するための最良の形態】
【０００６】
本体１の中央部２は紡錘状をなし、先端部３は丸くなって閉じている。本体１の後端部４は開口しており、そこに蓋５がしっかり嵌まる。蓋５には、複数個の通気孔６を設ける。又、本体１の先端部３にも通気孔７を設ける。呼吸気は、通気項６と通気孔７により通る。
【０００７】
又、本体１の後端部より、突出したやや長い先細の取出し部８を設ける。これにより、使用者が指で掴んで、容易に鼻孔より本体を取り出すことが出来る
【０００８】
又、２つの本体をつなぐ連結部９が本体と、一体成型により設けられる。全体の材質は軟質ゴム、又は軟質プラスチックである。本体、蓋、連結部、取出し部を全部一体成型にすることにより、部分作成より柔かく滑らかで低コストとなる。一体成型することにより連結部で壊れずらく使用中鼻孔内部ではずれにくい。連結部９は、万一の吸い込みを防ぎ、又、外見上目立たなくするため、出来るだけ細くする。連結部をある程度長くすることにより鼻孔内に入れ外から見えずらくする。一体成型の連結部９は、取出し部８の両先端に渡されても良いし、取出し部８の両付け根にも渡されて良い。即ち連結部９は紛失防止に役立ち、吸入してしまうことを避け、鼻孔に入れ過ぎることを避け、又、切断して用いることもできる。
【０００９】
本体１等は、軟質プラスチック又は軟質ゴムで作られ、極めて柔らかく、鼻孔に具合良くフィットする。
【００１０】
本体１の中の室には炭素繊維フィルターその他のフィルター等内包物１０を入れる。それは空気濾過及び消臭を行う。又、悪臭に対しては、メントールやベルガモット、ラベンダー、レモン、ジャスミン、その他の香料を炭素繊維等内包物に湿らせておくと良い。又、蓋を取って、軽く洗浄することも可能である。
又、本体に抗菌加工を施しておくと良い。又、抗菌剤等を使用する時はその許可が必要だがフィルターに抗菌薬を湿しておけばインフルエンザ等の防止にもなる。
【００１１】
全体の寸法は、直径９〜１２ｍｍ、長さ１１〜１５ｍｍ、取出し部は１ｃｍ位で、連結部の長さは３〜５ｃｍが好ましい。
【００１２】
オスメス、又はネジ止めの蓋をあけ、２つの本体の室に炭素繊維等を詰めておき、蓋をし、両方の鼻孔に挿入する。取り出しは、取り出し部を指で引っ張り行う。特に炭素繊維フィルターを用いることによりその特性である各種微粒子を効果的に排除出来、その効果は粒状活性炭素の２〜３倍に達する有効面積があり、炭素によるマイナスイオン効果、消臭等にも効果が増大するものである。蓋は、内包物の飛出しを防ぎ洗浄が内包物を取り出して出来、清潔感が保て、症状環境等により内包物を増減し対応できる。蓋は一部を本体に連結してあっても良い。
これを、排気ガスのかかる船に乗った時に使用したが、使用しなかった場合に比べ断然爽快であり、又、呼吸に与える影響は殆ど無かった。
【産業上の利用可能性】
【００１３】
本発明は、消臭と吸入空気浄化を手軽に行え、人々に広く用いられる可能性が大である。
【図面の簡単な説明】
【００１４】
【図１】全体の正面図である。
【図２】片方の本体の断面図である。
【図３】蓋の平面図である。
【符号の説明】
【００１５】
１  本体
２  中央部
３  先端部
４  後端部
５  蓋
６  通気孔
７  通気孔
８  取り出し部
９  連結部
１０  内包物
【図１】
2005312606.tif 000003
【図２】
2005312606.tif 000004
【図３】
2005312606.tif 000005
【手続補正書】
【提出日】平成16年12月7日(2004.12.7)
【手続補正１】
【補正対象書類名】明細書
【補正対象項目名】特許請求の範囲
【補正方法】変更
【補正の内容】
【特許請求の範囲】
【請求項１】先端部が丸い紡錘状の２つの本体に後端部において該本体に一箇所で接続し、且つ該本体に嵌る蓋を設け、該先端部と該蓋には通気孔を設け、該後端部の１箇所より突出した指で摘んでの取出しに便利な取り出し部を設け２つの該本体を結んで、切断して用いることもできる連結部を設け、該本体の中の室には、炭素繊維である内包物を入れ、各部全体を一体成形で作成し、該先端部より鼻孔に挿入使用可能な消臭及び吸入空気浄化のための鼻孔挿入具。
【手続補正２】
【補正対象書類名】明細書
【補正対象項目名】課題を解決するための手段
【補正方法】変更
【補正の内容】
【課題を解決するための手段】
本発明は、先端部が丸い紡錘状の２つの本体に後端部において該本体に一箇所で接続し、且つ該本体に嵌る蓋を設け、該先端部と該蓋には通気孔を設け、該後端部の１箇所より突出した指で摘んでの取出しに便利な取り出し部を設け２つの該本体を結んで、切断して用いることもできる連結部を設け、該本体の中の室には、炭素繊維である内包物を入れ、各部全体を一体成形で作成し、該先端部より鼻孔に挿入使用可能な消臭及び吸入空気浄化のための鼻孔挿入具に関する。
【手続補正書】
【提出日】平成17年6月16日(2005.6.16)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
先端部が丸い紡錘状の２つの本体に後端部において該本体に一箇所で接続し、且つ該本体に嵌る蓋を設け、該先端部と該蓋には通気孔を設け、該後端部の１箇所より突出した指で摘んでの取出しに便利な取り出し部を設け２つの該本体を結んで、切断して用いることもできる連結部を設け、該本体の中の室には、炭素繊維である内包物を入れ、各部全体を一体成形で作成し、該先端部より鼻孔に挿入使用可能な消臭及び吸入空気浄化のための鼻孔挿入具。
【手続補正２】
【補正対象書類名】手続補正書
【補正対象項目名】手続補正２
【補正方法】変更
【補正の内容】
【手続補正２】
【補正対象書類名】明細書
【補正対象項目名】０００４
【補正方法】変更
【補正の内容】
【０００４】
本発明は、先端部が丸い紡錘状の２つの本体に後端部において該本体に一箇所で接続し、且つ該本体に嵌る蓋を設け、該先端部と該蓋には通気孔を設け、該後端部の１箇所より突出した指で摘んでの取出しに便利な取り出し部を設け２つの該本体を結んで、切断して用いることもできる連結部を設け、該本体の中の室には、炭素繊維である内包物を入れ、各部全体を一体成形で作成し、該先端部より鼻孔に挿入使用可能な消臭及び吸入空気浄化のための鼻孔挿入具に関する。